(57)【特許請求の範囲】
【請求項１】
上位シートと下位シートからなり、当該上位シートの裏面側の所定部に、第一の疑似接着手段をもって透視不能な隠蔽シートが剥離可能に接合され、また、当該隠蔽シートの下面側に、第二の疑似接着手段をもって透視可能なラベル基材が剥離可能に接合されると共に、当該透視可能なラベル基材の下面側に粘着剤層が設けられ、当該粘着剤層が剥離シートにて保護されてなり、さらに、当該剥離シートの表出面側にカーボン転写剤が施されてなることを特徴とする複写隠蔽用ラベル付きシート組。
【発明の詳細な説明】
【０００１】
【発明の属する技術分野】
本発明は、上位シートの所定部に複写隠蔽用ラベルを剥離可能に貼付させ、上位シートに記入した秘密情報を下位シートに明瞭に複写させると共に、当該情報を確実に隠蔽する複写隠蔽用ラベル付きシート組に関する。
【０００２】
【従来の技術】
従来、各種の申込書や登録書など、複写を要する帳票類は、通常、複数枚のシートが重ね合わされて構成され、上位シートへの記入ないし印字した情報が下位シートへ複写されるように、各シートには複写手段が付与されている。
そして、記入ないし印字した情報の中には、暗証番号や預金残高など、他人に見られてはならない秘密情報もあり、特に、帳票発行者側が控えとして利用する下位シートに複写された秘密情報を、情報処理まで隠蔽するための幾つかの技術が従来から開発されている。
【０００３】
このような技術には、例えば、紫外線を照射しなけば秘密情報が視認できないように、蛍光顔料を含有した転移性の特殊インキを上位シートの秘密情報記入部の裏面側に施し、この秘密情報記入部に対応した下位シートの秘密情報複写部に地紋印刷を施すことで、下位シートに複写された秘密情報の視認を困難とさせる技術や、透視不能なラベル基材に弱粘着剤層を設けてなる剥離可能な隠蔽ラベルをもって、下位シートの秘密情報複写部に複写された秘密情報を覆うように貼り付け、当該情報を隠蔽するものなどが想到されている。
【０００４】
【発明が解決しようとする課題】
しかしながら、このような従来の技術では問題がある。例えば、蛍光顔料を含有した転移性の特殊インキを用いた方法では、市販のハンディータイプの紫外線照射器の普及から、これを用いて簡単に秘密情報を読み取れるばかりか、紫外線照射では何らの痕跡も残らないため、秘密情報の漏洩を確認できないなどの不都合がある。また、この方法では、情報処理の際、秘密情報は紫外線照射による蛍光発色により現出するため、明瞭でなく視認困難となる場合があったり、あるいは、機械読み取りにしても誤読が生じる可能性もある。
【０００５】
一方、視認性が高く、隠蔽性に優れる従来の隠蔽ラベルを用いた方法でも、接着手段に弱粘着剤を用いていることから、ラベルを容易に剥がすことができ、何らの特殊機器も要せずに簡単に秘密情報を読み取れるばかりか、再度、元通りに貼付すればその痕跡は全く残らず、秘密情報の漏洩が確認できないといった不都合がある。また、この方法では、複写された秘密情報は一般的な複写帳票類の複写手段によるもの、すなわち、発色剤マイクロカプセルと顕色剤を組み合わせた複写方式、いわゆるノーカーボン複写方式によるものであるが、この方式であると低濃度発色や発色の経時劣化を起こし、当該情報が不明瞭になる場合がある。
【０００６】
そこで、本発明は、上位シートに記入した秘密情報を下位シートに明瞭に複写でき、その複写された秘密情報を確実に隠蔽すると共に、移送中にラベルを剥がされた場合には、その痕跡が残るようにして当該情報の漏洩を防ぎ、また、情報処理の際には当該情報を明確に視認できるようにした複写隠蔽用ラベル付きシート組の提供を課題とする。
【０００７】
【課題を解決するための手段】
かかる問題点に鑑み、本発明者らは、透視不能な隠蔽シートと透視可能なラベル基材とを剥離可能に疑似接着し、さらに、ラベルの粘着剤層を保護する剥離シートの表出面側にカーボン転写剤してなる複写隠蔽用ラベルを、当該隠蔽シート側にて上位シートと剥離可能に疑似接着させることにより、上記目的を好適に達成できることを見い出し、本発明を想到した。
【０００８】
すなわち、本発明の複写隠蔽用ラベル付きシート組は、上位シートと下位シートからなり、当該上位シートの裏面側の所定部に、第一の疑似接着手段をもって透視不能な隠蔽シートが剥離可能に接合され、また、当該隠蔽シートの下面側に、第二の疑似接着手段をもって透視可能なラベル基材が剥離可能に接合されると共に、当該透視可能なラベル基材の下面側に粘着剤層が設けられ、当該粘着剤層が剥離シートにて保護されてなり、さらに、当該剥離シートの表出面側にカーボン転写剤が施されてなることを特徴とする。
【０００９】
かかる構成の複写隠蔽用ラベル付きシート組によれば、剥離シートの表出面側に施したカーボン転写剤をもって複写するため、ノーカーボン複写方式に比べて発色濃度が高く、発色の経時劣化が殆どないため明瞭に秘密情報を複写できる。また、剥離シートを剥がし、表出した粘着剤をもって秘密情報複写部に貼付すれば、透視不能な隠蔽シートにより秘密情報を確実に隠蔽できると共に、情報処理の際には透視不能な隠蔽シートを透視可能なラベル基材から剥離すれば、透視可能なラベル基材を透して当該情報を明確に視認できる。さらに、移送中に隠蔽シートをラベル基材から少しでも剥離すれば元の状態には戻せず、その痕跡が残るため、秘密情報の漏洩を防止できる。
【００１０】
【発明の実施形態】
次に、本発明の実施形態を図面に基づき説明する。なお、ここにおいて、図１は本発明の実施例である複写隠蔽用ラベル付きシート組の断面説明図、図２は本発明の別の実施例である複写隠蔽用ラベル付きシート組の断面説明図、図３は図１の複写隠蔽用ラベル付きシート組の使用例説明図を示す。
【００１１】
図１に示す如く、本実施例の複写隠蔽用ラベル付きシート組１は、切取ミシン線ｄを介して上位シートａと下位シートｂとが連設してなり、当該上位シートａの暗証番号記入部ｎの裏面側に、第一の疑似接着手段７ａをもって透視不能な隠蔽シート３が剥離可能に接合されると共に、当該隠蔽シート３の下面側に、第二の疑似接着手段７ｂをもって透視可能なラベル基材２が剥離可能に接合され、さらに、当該透視可能なラベル基材２の下面側に粘着剤層４が設けられると共に、当該粘着剤層４が剥離シート５にて保護され、当該剥離シート５の表出面側にカーボン転写剤６が施されてなる。
【００１２】
ここで、本発明における疑似接着手段について説明する。この疑似接着手段とは、例えば、通常状態では接着性を示さないが押圧することにより接着性を示す感圧接着剤を接着する対向面のそれぞれに施し、両面が対向した状態で押圧して疑似接着させる方法や、接着する対向面の間に弱粘着剤を施して両面を疑似接着させる方法でも良いが、特に好ましくは、相互に接着性が低い合成樹脂フィルムの間に一方の合成樹脂フィルムと同じ合成樹脂を溶融状態で塗布し、この溶融状態の合成樹脂により一方の合成樹脂フィルムと他方の合成樹脂フィルムとを接着し、溶融状態の合成樹脂が固化した際に疑似接着させる方法がよい。この方法によれば、疑似接着された両合成樹脂フィルムを一旦剥離してしまうと元の状態には戻すことができない。なお、本発明における合成樹脂フィルムの組み合わせとしては、例えば、ポリエチレンテレフタレートとポリエチレン、ポリプロピレンとポリエチレン、ポリブチレンテレフタレートとポリエチレン、ポリエチレンテレフタレートとポリプロピレン、ポリブチレンテレフタレートとポリプロピレンなどがあり、オレフィン系樹脂とエステル系樹脂との組み合わせが好適である。
【００１３】
本実施例の場合、第一の疑似接着手段７ａとしては、通常状態では接着性を示さないが押圧することにより接着性を示す感圧接着剤を上位シートａの暗証番号記入部ｎと透視不能な隠蔽シート３の上面側にそれぞれ施し、押圧することで当該隠蔽シート３と上位シートａとを剥離可能に接合させている。一方、第二の疑似接着手段７ｂとしては、透視可能なラベル基材２をポリエチレンテレフタレートとする一方、透視不能な隠蔽シート３をポリエチレンとし、両者の間に溶融状態のポリエチレンを塗布することで両者を剥離可能に接合させている。
【００１４】
次に、本実施例の複写隠蔽用ラベル付きシート組１の使用例を説明する。
図３に示したものは、本実施例の複写隠蔽用ラベル付きシート組１を、切取ミシン線ｄを介して上位シートａと下位シートｂとが連設してなる「銀行口座開設申込書」として構成したものである。先ず、（イ）に示す如く、上位シートａにおける暗証番号記入部ｎに申込者が暗証番号を記入すると、カーボン転写剤６をもって、暗証番号が暗証番号複写部ｍに複写される。
【００１５】
次に、（ロ）に示す如く、剥離シート５を剥離して粘着剤層４を表出させ、これをもって、切取ミシン線ｄにて上位シートａと分離した下位シートｂの暗証番号複写部ｍに、疑似接着状態の透視可能なラベル基材２と透視不能な隠蔽シート３とを貼付する。この状態では、暗証番号複写部ｍに複写された暗証番号は透視不能な隠蔽シート３により完全に隠蔽される。そして、（ハ）に示す如く、下位シートｂの移送後、担当者が暗証番号を確認し、情報処理する際には透視不能な隠蔽シート３を透視可能なラベル基材２から剥離し、当該透視可能なラベル基材２を透して暗証番号複写部ｍに複写された暗証番号を確認する。
【００１６】
なお、本発明の複写隠蔽用ラベルにおいて、透視可能なラベル基材の下面側に設けられる粘着剤層の接着力は、第一の疑似接着手段および第二の疑似接着手段の接着力よりも大きく、かつ、第一の疑似接着手段の接着力は第二の疑似接着手段の接着力よりも大きいことが必要であり、また、透視不能な隠蔽シートを複写隠蔽用ラベル本体から延設させ、この延設部をもって指掛けとすると、隠蔽シートをラベル基材から剥離し易くなり好ましい。
【００１７】
さらに、本発明の別の実施例について例示する。図２に示すように、本実施例の複写隠蔽用ラベル付きシート組１１は、上位シートａと下位シートｂとを別体とし、それらの端部を分離可能に接着して構成しているもので、その他の構成については上述した実施例と同様である。このように、本発明は、シート組を構成する上位シートと下位シートとの接合方法には限定されず、また、上位シートと下位シートの相対位置関係の概念があれば、シートが多数枚でも構わない。
【００１８】
【発明の効果】
上述したように、本発明の複写隠蔽用ラベル付きシート組によれば、剥離シートの表出面側に施したカーボン転写剤をもって複写するため、ノーカーボン複写方式に比べて発色濃度が高く、発色の経時劣化が殆どないため明瞭に秘密情報を複写できる。また、透視不能な隠蔽シートにより秘密情報を確実に隠蔽できると共に、情報処理の際には透視不能な隠蔽シートを透視可能なラベル基材から剥離すれば、透視可能なラベル基材を透して当該情報を明確に視認できる。さらに、移送中に隠蔽シートをラベル基材から少しでも剥離すれば元の状態には戻せず、その痕跡が残るため、情報の漏洩を防止できる、などといった効果を奏する。
【図面の簡単な説明】
【図１】本発明の実施例である複写隠蔽用ラベル付きシート組の断面説明図。
【図２】図１の複写隠蔽用ラベル付きシート組の使用例説明図。
【図３】本発明の別の実施例である複写隠蔽用ラベル付きシート組の断面説明図。
【符号の説明】
１  複写隠蔽用ラベル付きシート組
２  透視可能なラベル基材
３  透視不能な隠蔽シート
４  粘着剤層
５  剥離シート
６  カーボン転写剤
７ａ  第一の疑似接着手段
７ｂ  第二の疑似接着手段
ａ  上位シート
ｂ  下位シート
ｍ  暗証番号複写部
ｎ  暗証番号記入部
【図１】
0003841970.tif 000002
【図２】
0003841970.tif 000003
【図３】
0003841970.tif 000004